【手続補正書】
【提出日】平成25年1月25日(2013.1.25)
【手続補正１】
【補正対象書類名】明細書
【補正対象項目名】００１９
【補正方法】変更
【補正の内容】
【００１９】
【図１】第１〜第３実施の形態に係る画像形成システムの構成を示す図である。
【図２】第１〜第３の実施の形態のメインコントローラに設けられた送信回路、及び画像形成装置に設けられた受信回路の構成を示す図である。
【図３】第１〜第３の実施の形態の擬似ランダム信号発生回路の概略構成図である。
【図４】Ｎが７，Ｍが２の擬似ランダム信号発生回路の構成の一例を示す図である。
【図５】擬似ランダム信号発生回路に設けられた２７−１ビットのパターン信号出力回路が出力するパターン信号の遷移を示す表である。
【図６】Ｎが７，Ｍが２の擬似ランダム信号発生回路の構成の一例を示す図である。
【図７】Ｎが７，Ｍが２の擬似ランダム信号発生回路の構成の一例を示す図である。
【図８】Ｎが７，Ｍが２の擬似ランダム信号発生回路の構成の一例を示す図である。
【図９】Ｎが７，Ｍが４の擬似ランダム信号発生回路の構成の一例を示す図である。
【図１０】Ｎが７，Ｍが４の擬似ランダム信号発生回路の構成の一例を示す図である。
【図１１】Ｎが７，Ｍが４の擬似ランダム信号発生回路の構成の一例を示す図である。
【図１２】Ｎが９，Ｍが５の擬似ランダム信号発生回路の構成の一例を示す図である。
【図１３】図１１に示す擬似ランダム信号発生回路の出力波形である。
【図１４】図１１に示すパターン信号出力回路の出力波形である。
【図１５】図１１に示す擬似ランダム信号発生回路の出力波形を高速フーリエ変換（ＦＦＴ）したものを示す図である。
【図１６】図１１に示すパターン信号出力回路の出力波形のＦＦＴを示す図である。
【図１７】図１５及び図１６の波形を重ねて表した図である。
【図１８】図１２に示す擬似ランダム信号発生回路の出力波形である。
【図１９】図１２に示すパターン信号出力回路の出力波形である。
【図２０】図１２に示す擬似ランダム信号発生回路の出力波形のＦＦＴを示す図である。
【図２１】図１２に示すパターン信号出力回路の出力波形のＦＦＴを示す図である。
【図２２】図２０及び図２１の波形を重ねて表した図である。
【図２３】Ｎが７、Ｍが４の擬似ランダム信号発生回路のタップ位置の一例を模式的に示した図である。
【図２４】Ｎが７、Ｍが４の擬似ランダム信号発生回路のタップ位置の他の例を模式的に示した図である。
【図２５】図２３の擬似ランダム信号発生回路、図２４の擬似ランダム信号発生回路、及び最終段のＤフリップフロップＤＦＦ７のみを出力タップとした場合の擬似ランダム信号発生回路の各出力波形のＦＦＴを示す図である。
【図２６】Ｎが９、Ｍが５の擬似ランダム信号発生回路のタップ位置の一例を模式的に示した図である。
【図２７】Ｎが９、Ｍが５の擬似ランダム信号発生回路のタップ位置の一例を模式的に示した図である。
【図２８】図２６の擬似ランダム信号発生回路、図２７の擬似ランダム信号発生回路、及び最終段のＤフリップフロップＤＦＦ９のみを出力タップとした場合の擬似ランダム信号発生回路の各出力波形のＦＦＴを示す図である。
【手続補正２】
【補正対象書類名】明細書
【補正対象項目名】００２４
【補正方法】変更
【補正の内容】
【００２４】
本実施の形態に係る画像形成システムは、画像形成装置３０に画像データを送信して画像を形成させる通常モードと、シリアルバス５０を介したシリアル伝送のテストを行うテストモードとに切替え可能に構成されている。
【手続補正３】
【補正対象書類名】明細書
【補正対象項目名】００２７
【補正方法】変更
【補正の内容】
【００２７】
ＣＰＵ２１は、ＲＯＭ２２やＨＤＤ２４に記憶されているプログラム（通常モードとテストモードとを切替えるためのプログラムや、通常モード中に画像データを送信するためのプログラムなど）を実行し、メインコントローラ２０全体の動作を制御する。ＲＯＭ２２には、ＣＰＵ２１が実行するプログラムやＣＰＵ２１の処理に必要なデータ等が記憶されている。ＲＡＭ２３は、ワークメモリや画像データを一時的に記憶するイメージバッファとして使用される。
【手続補正４】
【補正対象書類名】明細書
【補正対象項目名】００５８
【補正方法】変更
【補正の内容】
【００５８】
アンド回路ＡＮＤ５の入力端には、パターン信号出力回路１０の最終段のＤフリップフロップＤＦＦ７の非反転端子Ｑ、２進カウンタ回路１４のＤフリップフロップＤＦＦＡの反転端子／ＱＡの各々が接続されている。
【手続補正５】
【補正対象書類名】明細書
【補正対象項目名】００６５
【補正方法】変更
【補正の内容】
【００６５】
同様に、２進カウンタ回路１４の反転端子／ＱＡからハイレベルの信号（選択信号）が出力されると、ＤフリップフロップＤＦＦ７の非反転端子Ｑから出力された信号が選択され、ＤフリップフロップＤＦＦ７の非反転端子Ｑから出力された信号がハイレベルになる毎にアンド回路ＡＮＤ５及びオア回路ＯＲを介して擬似ランダム信号として出力される。
【手続補正６】
【補正対象書類名】明細書
【補正対象項目名】００６７
【補正方法】変更
【補正の内容】
【００６７】
これらの異なるパターンの擬似ランダム信号が２種類の組合せ信号により選択される毎に繰り返し出力される。この結果、４段目のＤフリップフロップＤＦＦ４の非反転端子Ｑと、最終段のＤフリップフロップＤＦＦ７の非反転端子Ｑとが交互に選択され、本実施の形態の擬似ランダム信号のビットパターン長は、１２７×２＝２５４ビットとなり、２５４（（２Ｎ−１）×Ｍ：ただし、Ｎ＝７、Ｍ＝２）ビットのビットパターンを繰り返した擬似ランダム信号が出力される。
【手続補正７】
【補正対象書類名】明細書
【補正対象項目名】００８３
【補正方法】変更
【補正の内容】
【００８３】
アンド回路ＡＮＤ５の入力端には、パターン信号出力回路１０の３段目のＤフリップフロップＤＦＦ３の非反転端子Ｑ、４進カウンタ回路１４ＡのＤフリップフロップＤＦＦＡの反転端子／ＱＡ、及び４進カウンタ回路１４ＡのＤフリップフロップＤＦＦＢの非反転端子ＱＢの各々が接続されている。
【手続補正８】
【補正対象書類名】明細書
【補正対象項目名】００８４
【補正方法】変更
【補正の内容】
【００８４】
アンド回路ＡＮＤ６の入力端には、パターン信号出力回路１０の５段目のＤフリップフロップＤＦＦ５の非反転端子Ｑ、４進カウンタ回路１４ＡのＤフリップフロップＤＦＦＡの非反転端子ＱＡ、及び４進カウンタ回路１４ＡのＤフリップフロップＤＦＦＢの反転端子／ＱＢの各々が接続されている。
【手続補正９】
【補正対象書類名】明細書
【補正対象項目名】００８５
【補正方法】変更
【補正の内容】
【００８５】
また、アンド回路ＡＮＤ７の入力端には、パターン信号出力回路１０の最終段のＤフリップフロップＤＦＦ７の非反転端子Ｑ、４進カウンタ回路１４ＡのＤフリップフロップＤＦＦＡの非反転端子ＱＡ、及び４進カウンタ回路１４ＡのＤフリップフロップＤＦＦＢの非反転端子ＱＢの各々が接続されている。
【手続補正１０】
【補正対象書類名】明細書
【補正対象項目名】００９５
【補正方法】変更
【補正の内容】
【００９５】
上記の擬似ランダムパターン信号が表２に示した４種類の組合せ信号、すなわち選択信号の各々に応じてパターン信号出力回路１０の異なるタップから順に出力される。これらの擬似ランダム信号は、各々異なったタップから出力されるので、各々のパターンは異なっている。
【手続補正１１】
【補正対象書類名】明細書
【補正対象項目名】００９６
【補正方法】変更
【補正の内容】
【００９６】
これらの異なるパターンの擬似ランダム信号が４種類の組合せ信号により選択される毎に繰り返し出力される。この結果、本実施の形態の擬似ランダム信号のビットパターン長は、図１３に示すように、１２７×４＝５０８ビットとなり、５０８（（２Ｎ−１）×Ｍ：ただし、Ｎ＝７、Ｍ＝４）ビットのビットパターンを繰り返した擬似ランダム信号が出力される。
【手続補正１２】
【補正対象書類名】明細書
【補正対象項目名】０１２３
【補正方法】変更
【補正の内容】
【０１２３】
本実施の形態の擬似ランダム信号発生回路４１によれば、ＤフリップフロップＤＦＦ９の非反転端子Ｑからは２９−１ビットのパターン長を有するパターン信号が繰り返し出力されるが、このパターン信号が繰り返し出力される際に、２９−１ビット毎にＤフリップフロップＤＦＦ１〜ＤＦＦ９の各非反転端子Ｑの全てからハイレベルの信号が出力されるため、ビットパターン長カウント回路１２Ｂからは、パターン信号のパターン長に相当する２９−１ビット分の信号がＤフリップフロップＤＦＦ９の非反転端子Ｑから出力される毎にハイレベルに立ち上がるパターン長を示す信号が出力される。
【手続補正１３】
【補正対象書類名】明細書
【補正対象項目名】０１２５
【補正方法】変更
【補正の内容】
【０１２５】
ＤフリップフロップＤＦＦ１〜ＤＦＦ９の非反転端子Ｑの全てからハイレベルの信号が出力される毎に、ビットパターン長カウント回路１２Ｂから出力されるビットパターン長を示す信号がハイレベルに立ち上がるため、５進カウンタ回路１４Ｂの反転端子／ＱＡ、反転端子／ＱＢ、反転端子／ＱＣがハイレベルになり、かつ非反転端子ＱＡ、非反転端子ＱＢ、及び非反転端子ＱＣがローレベルになると、この３つのハイレベル信号が選択信号としてアンド回路ＡＮＤ１に入力される。アンド回路ＡＮＤ１には、ＤフリップフロップＤＦＦ９の非反転端子Ｑから出力された信号が入力されているので、この信号がハイレベルになる毎にアンド回路ＡＮＤ１及びオア回路ＯＲを介して擬似ランダム信号として出力される。このＤフリップフロップＤＦＦ９の非反転端子Ｑから出力された擬似ランダム信号は、ビットパターン長を示す信号が次に立ち上がるまで、すなわち５１１ビット分出力されるまで継続される。
【手続補正１４】
【補正対象書類名】明細書
【補正対象項目名】０１３１
【補正方法】変更
【補正の内容】
【０１３１】
これらの異なるパターンの擬似ランダム信号が５種類の組合せ信号により選択される毎に繰り返し出力される。この結果、本実施の形態の擬似ランダム信号のビットパターン長は、５１１×５＝２５５５ビットとなり、２５５５（（２Ｎ−１）×Ｍ：ただし、Ｎ＝９、Ｍ＝５）ビットのビットパターンを繰り返した擬似ランダム信号が出力される。
【手続補正１５】
【補正対象書類名】明細書
【補正対象項目名】０１５３
【補正方法】変更
【補正の内容】
【０１５３】
図２７は、隣り合うＤフリップフロップの端子が連続して選択されるように構成した場合の擬似ランダム信号発生回路４１を模式的に示した図である。ここでは一例として、最初の段のＤフリップフロップＤＦＦ５から順に、ＤフリップフロップＤＦＦ６、ＤフリップフロップＤＦＦ７、ＤフリップフロップＤＦＦ８、及びＤフリップフロップＤＦＦ９の５つのＤフリップフロップの非反転端子Ｑ（または反転端子／Ｑ）がタップ位置となるように接続して構成した場合の擬似ランダム信号発生回路４１を模式的に示した。以下、図２７に示す構成の擬似ランダム信号発生回路４１を、擬似ランダム信号発生回路（tap56789）と表す。
【手続補正１６】
【補正対象書類名】明細書
【補正対象項目名】０１５４
【補正方法】変更
【補正の内容】
【０１５４】
図２８は、擬似ランダム信号発生回路（tap13579）、擬似ランダム信号発生回路（tap56789）、及び擬似ランダム信号発生回路（tap9）の各出力波形のＦＦＴを示すグラフである。
【手続補正１７】
【補正対象書類名】明細書
【補正対象項目名】０１５９
【補正方法】変更
【補正の内容】
【０１５９】
Ｎ＝７、Ｍ＝４の場合には、Ｎ／Ｍ（小数点以下切り上げ）が２であるから、
Ｔ０＝１
Ｔ１＝Ｔ０＋２＝３
Ｔ２＝Ｔ１＋２＝５
Ｔ３＝Ｔ２＋２＝７
となるため、１，３，５，７番目のＤフリップフロップをタップ位置として構成すればよい。
【手続補正１８】
【補正対象書類名】明細書
【補正対象項目名】０１６０
【補正方法】変更
【補正の内容】
【０１６０】
また、Ｎ＝９、Ｍ＝５の場合には、Ｎ／Ｍ（小数点以下切り上げ）が２であるから、
Ｔ０＝１
Ｔ１＝Ｔ０＋２＝３
Ｔ２＝Ｔ１＋２＝５
Ｔ３＝Ｔ２＋２＝７
Ｔ４＝Ｔ３＋２＝９
となるため、１，３，５，７，９番目のＤフリップフロップをタップ位置として構成すればよい。
【手続補正１９】
【補正対象書類名】図面
【補正対象項目名】図２
【補正方法】変更
【補正の内容】
【図２】
2011166598.tif 000001
【手続補正２０】
【補正対象書類名】図面
【補正対象項目名】図２８
【補正方法】変更
【補正の内容】
【図２８】
2011166598.tif 000002